(57)【要約】【課題】加熱効率の高い調理性能を有する電気加熱調理器を提供する。【解決手段】前面に開口５１ａを有する加熱室５１を形成する内筐体５０と、該開口５１ａを開閉すると共に下部に配した軸支部５２ａが前記内筐体５０に回動自在に軸支された扉５２と、前記内筐体５０内に配され調理物（図示せず）を加熱する上・下ヒーター５３、５４とから成り、前記軸支部５２ａと対向する内筐体５０には、前記扉５２の下端の回動軌跡より大きな凹部５６を設け、前記軸支部５２ａ以外の部分での前記内筐体５０と前記扉５２の間隙を、前記軸支部５２ａでの前記内筐体５０と前記扉５２の間隙より小さく設定したもので、扉５２の回動が支障なくしかも、内筐体５０と扉５２との間の間隙が小さいので、空気の流通が少なくなり、加熱効率が高く、加熱性に優れた電気加熱調理器を提供することができる。【選択図】図１
2008304099.tif 000002
【特許請求の範囲】
【請求項１】
前面に開口を有する加熱室を形成する内筐体と、該開口を開閉すると共に下部に配した軸支部が前記内筐体に回動自在に軸支された扉と、前記内筐体内に配され調理物を加熱する加熱手段とを備え、前記軸支部と対向する内筐体には、前記扉の下端の回動軌跡より大きな凹部を設け、前記軸支部以外の部分での前記内筐体と前記扉の間隙を、前記軸支部での前記内筐体と前記扉の間隙より小さく設定した電気加熱調理器。
【発明の詳細な説明】
【技術分野】
【０００１】
本発明は、一般家庭で使用されると共にオーブントースター等に用いるヒーターを備えた電気加熱調理器に関するものである。
【背景技術】
【０００２】
従来、この種の電気加熱調理器は、加熱室を形成する内筐体の前面開口を開閉する扉の下部は、内筐体に軸支されるとともに、内筐体と扉間の間隙を、扉の下端の回動軌跡より大きく設定して、扉が支障なく回動できるようになっているのが一般的な構成である（例えば、特開文献１参照）。
【０００３】
図４は、上記特許文献１に記載された従来の電気加熱調理器の断面図である。図４において、従来の電気加熱調理器は、調理室３０を形成する内筐体３２と、内筐体３２の前面開口を開閉する扉３７とを備え、扉３７の下部は、内筐体３２に回動自在に軸支されるとともに、内筐体３２と扉３７間の間隙を、扉３７の下端の回動軌跡より大きく設定している。
【特許文献１】特開昭６３−１５０５２７号公報（第４頁、第１図）
【発明の開示】
【発明が解決しようとする課題】
【０００４】
しかしながら、前記従来の電気加熱調理器の構成では、扉３７の軸支部３７ａで、対向する内筐体３２との間隙が大きいため、外部から内筐体３２内への空気の流通が大きく、庫内の温度上昇に時間がかかる、という課題があった。
【０００５】
間隙を小さくする為に、軸支部３７ａを内筐体３２側へ寄せると、軸支部３７ａでの扉３７の強度が弱くなり、電気加熱調理器の輸送時に、壊れるという課題を有していた。
【０００６】
本発明は、前記従来の課題を解決するもので、扉の軸支部の強度を弱めることなく、内筐体と扉の間隙を小さくして加熱効率を高め、しかも扉の開閉に支障を起こさない、使用性に優れた電気加熱調理器を提供することを目的とするものである。
【課題を解決するための手段】
【０００７】
前記従来の課題を解決するために、本発明の電気加熱調理器は、前面に開口を有する加熱室を形成する内筐体と、該開口を開閉すると共に下部に配した軸支部が前記内筐体に回動自在に軸支された扉と、前記内筐体内に配され調理物を加熱する加熱手段とを備え、前記軸支部と対向する内筐体には、前記扉の下端の回動軌跡より大きな凹部を設け、前記軸支部以外の部分での前記内筐体と前記扉の間隙を、前記軸支部での前記内筐体と前記扉の間隙より小さく設定したもので、扉の回動が支障なくしかも、内筐体と扉との間の間隙が小さいので、そこでの空気の流通が少なく、加熱効率が高く、加熱性に優れた電気加熱調理器を提供することができる。
【発明の効果】
【０００８】
本発明の電気加熱調理器は、扉が支障なく回動できると共に、扉の閉時には、内筐体と扉との間での空気の流通が少なく、加熱効率が高く、加熱性に優れたものである。
【発明を実施するための最良の形態】
【０００９】
第１の発明は、前面に開口を有する加熱室を形成する内筐体と、該開口を開閉すると共に下部に配した軸支部が前記内筐体に回動自在に軸支された扉と、前記内筐体内に配され調理物を加熱する加熱手段とを備え、前記軸支部と対向する内筐体には、前記扉の下端の回動軌跡より大きな凹部を設け、前記軸支部以外の部分での前記内筐体と前記扉の間隙を、前記軸支部での前記内筐体と前記扉の間隙より小さく設定したもので、扉の回動が支障なくしかも、内筐体と扉との間の間隙が小さいので、そこでの空気の流通が少なく、加熱効率が高く、加熱性に優れた電気加熱調理器を提供することができる。
【００１０】
以下、本発明の実施の形態について、図面を参照しながら説明する。なお、この実施の形態によって本発明が限定されるものではない。
【００１１】
（実施の形態１）
図１は、本発明の第１の実施の形態における電気加熱調理器の縦断面図、図２は、同電気加熱調理器の縦断面図（扉開放状態）、図３は、同電気加熱調理器の正面図である。
【００１２】
図１〜３において、本実施の形態における電気加熱調理器は、前面に開口５１ａを有する加熱室５１を形成する内筐体５０を有し、扉５２で開口５１ａを開閉している。内筐体５０内の上下には、調理物（図示せず）を加熱する加熱手段として、上ヒーター５３と下ヒーター５４が配され、上・下ヒーター５３、５４間には、摺動体５５が配されている。
【００１３】
扉５２の下部には、軸支部５２ａが配され、その軸支部５２ａは、内筐体５０に回動自在に軸支され、その軸支部５２ａと対向する内筐体５０には、扉５２の下端の回動軌跡より大きな凹部５６を設け、扉５２で開口５１ａを閉じたときに、内筐体５０と扉５２の軸支部５２ａ以外の部分との間隙が、軸支部５２ａでの内筐体５０と扉５２の間隙より小さくなるように設定している。
【００１４】
以上のように構成された本実施の形態における電気加熱調理器について、以下その動作、作用を説明する。
【００１５】
まず、扉５２の開閉時は、扉５２は、軸支部５２ａを中心に回動するが、扉５２の下端の回動軌跡より大きな凹部５６を内筐体５０に設けているので、扉５２は、スムーズに回動する。扉５２の閉止時には、内筐体５０と扉５２の軸支部５２ａ以外の部分との間隙を、軸支部５２ａでの内筐体５０と扉５２の間隙より小さく設定しているので、扉５２と内筐体５０間での空気の流通が少なく、加熱効率が高い構成と成る。
【００１６】
以上のように、本実施の形態によれば、扉５２の軸支部５２ａ周囲の内筐体３０には、凹部５６を設け、軸支部５２ａ以外の内筐体３０と扉５２間は、軸支部５２ａでの内筐体５０と扉５２の間隙より小さいので、加熱効率の高い電気加熱調理器とすることができる。
【産業上の利用可能性】
【００１７】
以上のように、本発明にかかる電気加熱調理器は、軸支部以外の内筐体と扉との間で、空気の流通が少ないので、加熱効率が高いもので、オーブンやロースター等の用途にも適用できる。
【図面の簡単な説明】
【００１８】
【図１】本発明の第１の実施の形態における電気加熱調理器の扉閉止状態の縦断面図
【図２】同電気加熱調理器の縦断面図（扉開放状態）
【図３】同電気加熱調理器の正面図
【図４】従来の電気加熱調理器の縦断面図
【符号の説明】
【００１９】
５０  内筐体
５１  加熱室
５１ａ  開口
５２  扉
５２ａ  軸支部
５３  上ヒーター（加熱手段）
５４  下ヒーター（加熱手段）
５６  凹部
【図３】
2008304099.tif 000003
【図１】
2008304099.tif 000004
【図２】
2008304099.tif 000005
【図４】
2008304099.tif 000006